(57)【要約】【課題】１回の撮影指示で複数枚の画像を生成する際、撮影後にレビュー表示される画像と再生モードに移行した際に最初に表示される画像との関係でユーザーが混乱することを防止する。【解決手段】システム制御部５０は１回の撮影指示に応じて撮像素子で撮像を行って複数の画像を生成する特定の種別の撮影を行って、撮像の後当該撮像によって得られた画像を表示するレビュー表示を行う。システム制御部は１回の特定の種別の撮影で生成された複数の画像のうちの代表画像以外の画像を１枚表示による画像送りの対象とせず、代表画像を１枚表示による画像送りの対象とするグループ再生を行い、特定の種別の撮影の後のレビュー表示において当該特定の種別の撮影で生成された複数の画像のうちの代表画像を表示する。【選択図】図１１
2014138246.tif 000002
【特許請求の範囲】
【請求項１】
被写体を撮像する撮像手段と、
１回の撮影指示に応じて、前記撮像手段で撮像を行って複数の画像を生成する特定の種別の撮影を行う撮影手段と、
前記撮像手段による撮像の後、当該撮像によって得られた画像を表示するレビュー表示を行うように表示手段を制御する表示制御手段と、
１回の前記特定の種別の撮影で生成された複数の画像のうちの代表画像以外の画像を１枚表示による画像送りの対象とせず、代表画像を１枚表示による画像送りの対象とするグループ再生を行う再生手段と、
前記特定の種別の撮影の後の前記レビュー表示において、当該特定の種別の撮影で生成された複数の画像のうちの前記代表画像を表示するように前記表示手段を制御する制御手段と、
を有することを特徴とする撮像装置。
【請求項２】
前記グループ再生を行うか否かを設定する設定手段をさらに有し、
前記制御手段は、前記設定手段によって前記グループ再生を行うと設定されていた場合には、前記特定の種別の撮影の直後の前記レビュー表示において前記特定の種別の撮影で生成された複数の画像のうちの前記代表画像を表示し、前記設定手段によって前記グループ再生を行うと設定されていなかった場合には、前記レビュー表示において前記特定の種別の撮影で生成された複数の画像のうち最後に生成された画像を表示するように前記表示手段を制御することを特徴とする請求項１に記載の撮像装置。
【請求項３】
前記制御手段は、前記特定の種別の撮影とは異なる撮影の後のレビュー表示においては、最後に生成された画像を表示するように制御することを特徴とする請求項１又は２に記載の撮像装置。
【請求項４】
撮影された画像を一時的に記憶するバッファメモリと、
撮影の結果得られた画像を画像ファイルとして記録媒体に記録する記録手段とをさらに有し、
前記制御手段は、前記レビュー表示において最後に生成された画像を表示する際には、前記バッファメモリから読み出した画像を表示し、前記レビュー表示において前記代表画像を表示する際には前記記録媒体から読み出した画像を表示するように制御することを特徴とする請求項２又は３に記載の撮像装置。
【請求項５】
前記特定の種別の撮影は、１回の撮影指示に応じて複数回の撮像を行う連写撮影であることを特徴とする請求項１乃至４のいずれか１項に記載の撮像装置。
【請求項６】
前記制御手段は、前記連写撮影の後の前記レビュー表示において前記代表画像を表示する際に、前記連写撮影で撮影された画像の総枚数と前記代表画像が前記総枚数のうちの何枚目の画像であるかを表示するように前記表示手段を制御することを特徴とする請求項５に記載の撮像装置。
【請求項７】
被写体を撮像する撮像手段と、
１回の撮影指示に応じて、前記撮像手段で撮像を行って複数の画像を生成する特定の種別の撮影を行う撮影手段と、
前記撮像手段による撮像の後、当該撮像によって得られた画像を表示するレビュー表示を行うように表示手段を制御する表示制御手段と、
１回の前記特定の種別の撮影で生成された複数の画像のうち、代表画像以外の画像を１枚表示による画像送りの対象とせず、代表画像を１枚表示による画像送りの対象とするグループ再生を行う再生手段と、
前記特定の種別の撮影の後の前記レビュー表示において、前記特定の種別の撮影で生成された複数の画像を１画面で前記表示手段に表示し、該複数の画像のうちの前記代表画像を識別可能に表示するように前記表示手段を制御する制御手段と、
を有することを特徴とする撮像装置。
【請求項８】
前記制御手段は、前記レビュー表示において、前記代表画像に枠を付して表示するように前記表示手段を制御することを特徴とする請求項７に記載の撮像装置。
【請求項９】
前記特定の種別の撮影は、１回の撮影指示に応じて複数回の撮像を行う連写撮影であることを特徴とする請求項７又は８に記載の撮像装置。
【請求項１０】
前記制御手段は、前記連写撮影の後の前記レビュー表示において、前記連写撮影で撮影された画像の総枚数と前記代表画像が前記総枚数のうちの何枚目の画像であるかを表示するように前記表示手段を制御することを特徴とする請求項９に記載の撮像装置。
【請求項１１】
前記特定の種別の撮影は、１回の撮影指示に応じて、特定の撮影パラメータをそれぞれ異なる値に設定した複数の撮影を行うブラケット撮影であることを特徴とする請求項１乃至４、７、および８のいずれか１項に記載の撮像装置。
【請求項１２】
前記特定の種別の撮影は、１回の撮影指示に応じた少なくとも１回の撮像で得られた画像から異なる画像処理条件で生成された複数の画像を得る撮影であることを特徴とする請求項１乃至４、７、および８のいずれか１項に記載の撮像装置。
【請求項１３】
被写体を撮像する撮像手段を備える撮像装置の制御方法であって、
１回の撮影指示に応じて、前記撮像手段で撮像を行って複数の画像を生成する特定の種別の撮影を行う撮影ステップと、
前記撮像手段による撮像の後、当該撮像によって得られた画像を表示するレビュー表示を行うように表示手段を制御する表示制御ステップと、
１回の前記特定の種別の撮影で生成された複数の画像のうちの代表画像以外の画像を１枚表示による画像送りの対象とせず、代表画像を１枚表示による画像送りの対象とするグループ再生を行う再生ステップと、
前記特定の種別の撮影の後の前記レビュー表示において、当該特定の種別の撮影で生成された複数の画像のうちの前記代表画像を表示するように前記表示手段を制御する制御ステップと、
を有することを特徴とする撮像装置の制御方法。
【請求項１４】
被写体を撮像する撮像手段を備える撮像装置の制御方法であって、
１回の撮影指示に応じて、前記撮像手段で撮像を行って複数の画像を生成する特定の種別の撮影を行う撮影ステップと、
前記撮像手段による撮像の後、当該撮像によって得られた画像を表示するレビュー表示を行うように表示手段を制御する表示制御ステップと、
１回の前記特定の種別の撮影で生成された複数の画像のうち、代表画像以外の画像を１枚表示による画像送りの対象とせず、代表画像を１枚表示による画像送りの対象とするグループ再生を行う再生ステップと、
前記特定の種別の撮影の後の前記レビュー表示において、前記特定の種別の撮影で生成された複数の画像を１画面で前記表示手段に表示し、該複数の画像のうちの前記代表画像を識別可能に表示するように前記表示手段を制御する制御ステップと、
を有することを特徴とする撮像装置の制御方法。
【請求項１５】
コンピュータを、請求項１乃至１２のいずれか１項に記載された撮像装置の各手段として機能させるためのプログラム。
【請求項１６】
コンピュータを、請求項１乃至１２のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、およびプログラム、並びに記憶媒体に関し、特に、一回の撮影指示に応じて複数枚の画像を生成して、当該複数枚の画像を１つのグループとする撮像装置に関する。
【背景技術】
【０００２】
近年、デジタルカメラなどの撮像装置では、連続撮影の際のコマ速度が向上しており、連続撮影した際に類似の複数の画像を１つのグループとすることが行われている。そして、再生モードの際には当該グループに属する代表の画像のみを表示部に表示している。
【０００３】
例えば、連続撮影で得られた画像のうち、再生時には代表画像のみを表示部に表示するようにしたものがある（特許文献１参照）。
【０００４】
さらに、連続撮影の際に一連画像の合計データサイズとメモリカードの残容量とを比較して、合計データサイズが残容量よりも大きいと、一連の画像をメモリカードに直接書き込まずに、ＲＡＭに保持された一連の画像をインデックス表示して保存する手法がある（特許文献２参照）。
【先行技術文献】
【特許文献】
【０００５】
【特許文献１】特開２００７−２２１７６９号公報
【特許文献２】特開２００１−１８６３９７号公報
【発明の概要】
【発明が解決しようとする課題】
【０００６】
ところで、撮像装置においては、撮影直後に画像を所定の時間表示する所謂レックレビュー機能が備えられているものがある。このレックレビュー機能では、連続撮影を行った際には最後に撮影された画像が表示される。
【０００７】
一方、特許文献１に記載の手法において、レックレビュー機能によって最後に撮影された画像が表示された状態から再生モードに移行すると、連続撮影で得られたグループの画像について代表画像が表示されることになる。
【０００８】
この結果、再生モードに移行すると、レックレビュー機能によって表示された画像と異なる画像が表示されることがある。このため、レックレビュー機能で表示された画像と再生モードで表示された画像との関係が分からず、ユーザーが混乱する恐れがある。
【０００９】
また、特許文献２に記載の手法では、撮影直後にインデックス表示される複数の画像のうちいずれの画像が代表画像となるか分からない。このため、代表画像のみを表示する再生モードに移行した場合に、再生モードで最初に表示される画像と撮影直後にインデックス表示された画像との関係が分からず、やはりユーザーが混乱する恐れがある。
【００１０】
そこで、本発明の目的は、１回の撮影指示で複数枚の画像を生成する際、撮影後にレビュー表示される画像と再生モードに移行した際に最初に表示される画像との関係でユーザーが混乱することを防止することができる撮像装置、その制御方法、およびプログラム、並びに記憶媒体を提供することにある。
【課題を解決するための手段】
【００１１】
上記の目的を達成するため、本発明による撮像装置は、被写体を撮像する撮像手段と、１回の撮影指示に応じて、前記撮像手段で撮像を行って複数の画像を生成する特定の種別の撮影を行う撮影手段と、前記撮像手段による撮像の後、当該撮像によって得られた画像を表示するレビュー表示を行うように表示手段を制御する表示制御手段と、１回の前記特定の種別の撮影で生成された複数の画像のうちの代表画像以外の画像を１枚表示による画像送りの対象とせず、代表画像を１枚表示による画像送りの対象とするグループ再生を行う再生手段と、前記特定の種別の撮影の後の前記レビュー表示において、当該特定の種別の撮影で生成された複数の画像のうちの前記代表画像を表示するように前記表示手段を制御する制御手段と、を有することを特徴とする。
【発明の効果】
【００１２】
本発明によれば、１回の撮影指示で複数枚の画像を生成する際、撮影後にレビュー表示される画像と再生モードに移行した際に最初に表示される画像との関係でユーザーが混乱することを防止することができる。
【図面の簡単な説明】
【００１３】
【図１】本発明の第１の実施形態による撮像装置の一例についてその外観を示す斜視図である。
【図２】図１に示すカメラの構成の一例を示すブロック図である。
【図３】図２に示すカメラにおける起動処理を説明するためのフローチャートである。
【図４】図３に示す撮影モード処理を説明するためのフローチャートである。
【図５】図３に示す再生モード処理を説明するためのフローチャートである。
【図６】図５に示す画像送り処理を説明するためのフローチャートである。
【図７】図６に示す代表画像ＩＤ取得処理を説明するためのフローチャートである。
【図８】図５に示すマルチ再生処理を説明するためのフローチャートである。
【図９】図５に示すメニュー処理を説明するためのフローチャートである。
【図１０】図４に示すレックレビュー処理を説明するためのフローチャートである。
【図１１】図１０で説明したレックレビューにおいてグループ再生の設定の有無に応じた画面表示の一例を説明するための図であり、（ａ）はグループ再生が有効である際の画面表示を示す図、（ｂ）はグループ再生が有効である際の画面表示を示す図である。
【図１２】本発明の第２の実施形態によるカメラで行われるレックレビューの一例を説明するためのフローチャートである。
【図１３】図１２で説明したレックレビューにおいてグループ再生の設定の有無に応じた画面表示の一例を説明するための図であり、（ａ）はグループ再生が有効である際の画面表示を示す図、（ｂ）はグループ再生が有効である際の画面表示を示す図である。
【発明を実施するための形態】
【００１４】
以下、本発明の実施の形態による撮像装置の一例について図面を参照して説明する。
【００１５】
［第１の実施形態］
図１は本発明の第１の実施形態による撮像装置の一例についてその外観を示す斜視図である。
【００１６】
図示の撮像装置は、所謂デジタルカメラ（以下単にカメラと呼ぶ）であり、その背面側に表示部２８が配置されており、この表示部２８には画像および各種情報が表示される。
【００１７】
カメラ１００の上面には、電源オンおよび電源オフを切り替える電源スイッチ７２が配置されるとともに、撮影指示を行うためのシャッターボタン６１が配置されている。
【００１８】
表示部２８の右側には、各種モードを切り替えるモードダイアル（モード切替スイッチともいう）６０が配置されるとともに、ユーザーからの各種操作を受け付ける操作部７０が配置されている。なお、シャッターボタン６１は操作部７０の１つである。
【００１９】
操作部７０にはユーザーからの各種操作を受け付けるための各種スイッチ、ボタン、およびタッチパネルなどが備えられている。さらに、操作部７０にはコントローラホイール７３が備えられており、このコントローラホイール７３は回転操作に応じた指令を送出する。
【００２０】
図示の例では、カメラ１００には、カメラ１００と外部機器（図示せず）とを接続するための接続ケーブル１１１が接続されている。接続ケーブル１１１はコネクタ１１２によってカメラ１００に接続される。
【００２１】
カメラ１００には記録媒体スロット２０１が形成されており、この記録媒体スロット２０１にはメモリカード又はハードディスクなどの記録媒体２００が収納される。
【００２２】
記録媒体スロット２０１に記録媒体２００を収納する際には、カメラ１００に設けられた蓋部２０２を開いて、記録媒体スロット２０１に記録媒体２００を収納する。
【００２３】
図２は、図１に示すカメラ１００の構成の一例を示すブロック図である。
【００２４】
図２において、カメラ１００は撮影レンズユニット（以下単に撮影レンズと呼ぶ）１０３を備えており、撮影レンズ１０３には、少なくともズームレンズおよびフォーカスレンズが備えられている。
【００２５】
撮影レンズ１０３の後段には絞り機能を備えるシャッター１０１が配置されている。そして、シャッター１０１の後側には、光学像（被写体像）を電気信号に変換するＣＣＤ又はＣＭＯＳ素子を有する撮像部２２が配置されている。撮像部２２の出力であるアナログ信号はＡ／Ｄ変換器２３によってデジタル信号（画像データ）に変換される。
【００２６】
なお、撮影レンズ１０３の前面側にはバリア１０２が配置されており、このバリア１０２は撮影レンズ１０３、シャッター１０１、および撮像部２２などを覆って、汚れおよび破損を防止するためのものである。
【００２７】
画像処理部２４はＡ／Ｄ変換器２３の出力である画像データ、又はメモリ制御部１５から画像データを受けて、所定の画素補間および縮小などのリサイズ処理と色変換処理とを行う。
【００２８】
また、画像処理部２４は撮像の結果得られた画像データを用いて所定の演算処理を行う。そして、システム制御部５０は当該演算結果に基づいて露光制御および測距制御を行う。
【００２９】
これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００３０】
さらに、画像処理部２４は撮像の結果得られた画像データを用いて所定の演算処理を行って、当該演算結果に基づいてＴＴＬ方式のＡＷＢ（オートホワイトバランス）処理を行う。
【００３１】
Ａ／Ｄ変換器２３からの出力である画像データは、画像処理部２４およびメモリ制御部１５を介して、或いは直接メモリ制御部１５を介して、メモリ３２（バッファメモリ）に一時的に書き込まれる。
【００３２】
メモリ３２は、所定枚数の静止画像又は所定時間の動画像および音声を格納するための十分な記憶容量を備えている。
【００３３】
図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００３４】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８は電子ビューファインダとして機能しスルー画像表示を行うことができる。
【００３５】
システム制御部５０はカメラ１００全体の制御を司る。不揮発性メモリ５６にはシステム制御部５０の動作用の定数、変数、およびプログラムなどが格納されている。
【００３６】
このプログラムには、後述する各種フローチャートを実行するためのプログラムが含まれる。不揮発性メモリ５６は電気的に消去・記録可能なメモリであって、例えば、ＥＥＰＲＯＭが用いられる。
【００３７】
システムメモリ５２は、例えば、ＲＡＭであり、システム制御部５０は不揮発性メモリ５６から動作用の定数、変数、およびプログラムなどを読み出して、システムメモリ５２に展開する。
【００３８】
なお、メモリ３２に書き込まれた画像データは、システム制御部５０においてファイル化されて、インターフェース（Ｉ／Ｆ）１８を介して記録媒体２００に記録される。
【００３９】
システム制御部５０にはシステムタイマー５３が接続されており、システムタイマー５２はシステム制御部５０による各種制御で用いる時間を計測してシステム制御部５０に与える。
【００４０】
前述のモード切替スイッチ６０は、例えば、システム制御部５０の動作モードを静止画記録モード、動画記録モード、および再生モードなどのいずれかに切り替えるためのスイッチである。なお、モード切替スイッチ６０によって再生モードが選択した際には、ユーザーは後述するグループ再生を選択することができる。
【００４１】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００４２】
また、モード切り替えスイッチ６０によって静止画記録モードに一旦切り換えた後、上記のモードのいずれかに操作部７０を用いて切り替えるようにしてもよい。同様に、動画記録モードにも複数のモードが含まれている。
【００４３】
シャッターボタン６１が操作途中（半押し：撮影準備指示）であると、第１のシャッタースイッチ６２がオンとなって、第１のシャッタースイッチ信号ＳＷ１がシステム制御部５０に与えられる。
【００４４】
これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００４５】
シャッターボタン６１が操作完了（全押し）になると、第２のシャッタースイッチ６４がオンとなって、第２のシャッタースイッチ信号ＳＷ２がシステム制御部５０に与えられる。これによって、システム制御部５０は撮像部２２の信号読み出しから記録媒体２００に画像データを書き込むまでの一連の撮像処理の動作を開始する。
【００４６】
表示部２８に表示される種々の機能アイコンを選択操作すると、場面毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００４７】
操作部７０においてメニューボタンが操作されると、システム制御部５０は各種設定を行うためのメニュー画面を表示部２８に表示する。ユーザーは表示部２８に表示されたメニュー画面を見て、４方向キーおよびＳＥＴボタンを用いて直感的に各種設定を行うことができる。
【００４８】
なお、図１に示すコントローラホイール７３は方向ボタンとともに選択項目を指示する際などに用いられる。
【００４９】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。
【００５０】
また、電源制御部８０は上記の検出結果およびシステム制御部５０の指示に基づいてＤＣ−ＤＣコンバータを制御して、所定の電圧を必要な期間の間、記録媒体２００を含む各部に供給する。
【００５１】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００５２】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００５３】
図３は、図２に示すカメラ１００における起動処理を説明するためのフローチャートである。
【００５４】
なお、図３に示すフローチャートに係る処理は、図２に示す不揮発性メモリ５６に記録されたプログラムをシステムメモリ５２に展開してシステム制御部５０が実行することによって行われる。
【００５５】
また、起動処理とは、例えば、画像を撮影する撮影モード又は撮影した画像を閲覧する再生モードでカメラ１００を立ち上げた際に行われる処理である。
【００５６】
電源スイッチ７２が操作されて電源がオンとなると、システム制御部５０は起動時処理を行って（ステップＳ３０１）、モード切替スイッチ６０の設定が撮影モードであるか否かを判定する（ステップＳ３０２）。モード切替スイッチ６０の設定が撮影モードであると（ステップＳ３０２において、ＹＥＳ）、システム制御部５０は後述の撮影モード処理を行う（ステップＳ３０３）。
【００５７】
一方、モード切替スイッチ６０の設定が撮影モードでないと（ステップＳ３０２において、ＮＯ）、システム制御部５０はモード切替スイッチ６０の設定が再生モードであるか否かを判定する（ステップＳ３０４）。モード切替スイッチ６０の設定が再生モードであると（ステップＳ３０４において、ＹＥＳ）、システム制御部５０は、後述の再生モード処理を行う（ステップＳ３０５）。
【００５８】
モード切替スイッチ６０の設定が再生モードでないと（ステップＳ３０４において、ＮＯ）、システム制御部５０は、モード切替スイッチ６０で設定された処理（その他のモード処理）を行う（ステップＳ３０６）。なお、その他のモード処理には、例えば、プリンタ又はパーソナルコンピューター（ＰＣ）がカメラ１００に接続されて記録媒体２００に格納された画像ファイルプリンタ又はＰＣに転送する処理などがある。
【００５９】
ステップＳ３０３、Ｓ３０５、又はＳ３０６の処理を行った後、システム制御部５０は電源スイッチ７２がオフされたか否かを判定する（ステップＳ３０７）。電源スイッチ７２がオンであると（ステップＳ３０７において、ＮＯ）、システム制御部５０はステップＳ３０２の処理に戻る。一方、電源スイッチ７２がオフされると（ステップＳ３０７において、ＹＥＳ）、システム制御部５０は起動処理を終了する。
【００６０】
図４は、図３に示す撮影モード処理を説明するためのフローチャートである。なお、撮影モード処理は再生モードから撮影モードに切り替わった場合又は電源オフ状態から撮影モードで立ち上げを行った場合になどに行われる。また、図４に示すフローチャートに係る処理は、図２に示す不揮発性メモリ５６に記録されたプログラムをシステムメモリ５２に展開してシステム制御部５０が実行することによって行われる。
【００６１】
撮影モード処理を開始すると、システム制御部５０は、まず表示部２８に画像を表示するスルー画像表示を行う（ステップＳ４０１）。続いて、システム制御部５０は第１のシャッタースイッチ（ＳＷ１）がオンであるか否かを判定する（ステップＳ４０２）。第１のシャッタースイッチ（ＳＷ１）がオフであると（ステップＳ４０２において、ＮＯ）、システム制御部５０は待機する。
【００６２】
一方、第１のシャッタースイッチ（ＳＷ１）がオンであると（ステップＳ４０２において、ＹＥＳ）、システム制御部５０は前述の撮影準備処理を行う（ステップＳ４０３）。そして、システム制御部５０は第２のシャッタースイッチ（ＳＷ２）がオンされたか否かを判定する（ステップＳ４０４）。第２のシャッタースイッチ（ＳＷ２）がオフであると（ステップＳ４０４において、ＮＯ）、システム制御部５０は第１のシャッタースイッチ（ＳＷ１）がオンであるか否かを判定する（ステップＳ４０５）。
【００６３】
第１のシャッタースイッチ（ＳＷ１）がオフとされると（ステップＳ４０５において、ＮＯ）、システム制御部５０はステップＳ４０１の処理に戻って、スルー画表示を行う。一方、第１のシャッタースイッチ（ＳＷ１）がオンの状態であると（ステップＳ４０５において、ＹＥＳ）、システム制御部５０はステップＳ４０４の処理に戻って、第２のシャッタースイッチ（ＳＷ２）がオンされたか否かを判定する。
【００６４】
第２のシャッタースイッチ（ＳＷ２）がオンとなると（ステップＳ４０４において、ＹＥＳ）、システム制御部５０は、本撮影処理を行う（ステップＳ４０６）。
【００６５】
この本撮影処理においては、例えば、撮像部２２、Ａ／Ｄ変換器２３、画像処理回路２４、メモリ制御回路１５を介して、或いはＡ／Ｄ変換器２３から直接メモリ制御回路１５を介してメモリ３２に撮影の結果得られた画像データを書き込む露光処理が行われる。
【００６６】
さらに、本撮影処理では、メモリ制御回路１５、そして、必要に応じて画像処理回路２４によって、メモリ３２から読み出された画像データに対して各種処理を施す現像処理が行われる。
【００６７】
次に、システム制御部５０は、連続撮影モードが設定されているか否かを判定する（ステップＳ４０７）。ここで、連続撮影モードとは、例えば、１回の撮影指示に応じて、撮像部による複数回の撮像を行って複数の画像を生成する特定の種別の撮影をいう。
【００６８】
連続撮影モードが設定されていると（ステップＳ４０７において、ＹＥＳ）、システム制御部５０は第２のシャッタースイッチ（ＳＷ２）がオンのままであるか否かを判定する（ステップＳ４０８）。
【００６９】
第２のシャッタースイッチ（ＳＷ１）がオンのままであると（ステップＳ４０８において、ＹＥＳ）、システム制御部５０はステップＳ４０６の処理に戻って、本撮影処理を実行する。一方、第２のシャッタースイッチ（ＳＷ１）がオフであると（ステップＳ４０８において、ＮＯ）、システム制御部５０は、表示部２８に撮影の結果得られた画像データに応じた画像を表示するレックレビューを行う（ステップＳ４０９）。このレックレビューについて後述する。
【００７０】
そして、クイックレビューの後、システム制御部５０は本撮影処理で得られた画像データを画像ファイルとして記録媒体２００に書き込む記録処理を行う（ステップＳ４１０）。
【００７１】
記録処理を行った後、システム制御部５０は撮影モードが終了か否かを判定する（ステップＳ４１１）。つまり、システム制御部５０は第１のシャッタースイッチ（ＳＷ１）がオフであるか否かを判定することになる。撮影モード終了であると判定すると（ステップＳ４１１において、ＹＥＳ）、システム制御部５０は撮影モード処理を終了する。
【００７２】
撮影モード終了でないと判定すると（ステップＳ４１１において、ＮＯ）、システム制御部５０はステップＳ４０１の処理に戻って、スルー画表示を行う。なお、ステップＳ４０７で連写モードが設定されていないと（ステップＳ４０７において、ＮＯ）、システム制御部５０はステップＳ４０９の処理に進んで、レックレビューを実行する。
【００７３】
図５は、図３に示す再生モード処理を説明するためのフローチャートである。なお、図５に示すフローチャートに係る処理は、図２に示す不揮発性メモリ５６に記録されたプログラムをシステムメモリ５２に展開してシステム制御部５０が実行することによって行われる。
【００７４】
再生モード処理を開始すると、システム制御部５０はレジュームであるか否かを判定する（ステップＳ５０１）。ここで、レジュームとは、電源をオフとする直前の状態を、例えば、メモリ３２に保存して、次の起動の際に当該電源オフ直前の状態から再開する処理をいう。
【００７５】
レジュームであると判定すると（ステップＳ５０１において、ＹＥＳ）、システム制御部５０はレジュームされた画像に係る画像ＩＤをメモリ３２から取得する（ステップＳ５０２）。一方、レジュームでないと判定すると（ステップＳ５０１において、ＮＯ）、システム制御部５０は最後に撮影された画像に係るＩＤを不揮発性メモリ５６から取得する（ステップＳ５０３）。なお、メモリ３２に画像を記録する際には、当該画像を特定するＩＤが画像に付加される。
【００７６】
ステップＳ５０２又はＳ５０３の処理に続いて、システム制御部５０はグループ再生が「入」に設定されているか否かを判定する（ステップＳ５０４）。
【００７７】
なお、グループ再生とは、連写又はブラケットなどで撮影した複数枚の画像を１つのグループとして、画像送りの際にグループ毎に１枚の代表画像（例えば、グループの先頭画像）のみを表示部２８に表示する再生をいう。そして、ここでは、代表画像が表示部２８に表示された状態で、階層を下方に進む操作を行うと、システム制御部５０は当該代表画像が属するグループの他の画像を表示部２８に表示する。
【００７８】
グループ再生が「入」であると（ステップＳ５０４において、ＹＥＳ）、システム制御部５０は、取得した画像ＩＤに対応する画像が連続撮影によって撮影された画像であるか否かを判定する（ステップＳ５０５）。取得した画像ＩＤに対応する画像が連続撮影による画像であると（ステップＳ５０５において、ＹＥＳ）、システム制御部５０は当該画像が属するグループの代表画像の画像ＩＤを代表画像ＩＤとしてメモリ３２から取得する（ステップＳ５０６）。
【００７９】
続いて、システム制御部５０は代表画像ＩＤに対応する画像を記録媒体２００から検索して、当該画像を表示部２８に表示する（ステップＳ５０７）。
【００８０】
なお、ステップＳ５０４において、グループ再生が「切」であると（ステップＳ５９４において、ＮＯ）、システム制御部５０はステップＳ５０７の処理に進んで、取得した画像ＩＤに対応する画像を表示部２８に表示する。また、ステップＳ５０５において、取得した画像ＩＤに対応する画像が連続撮影による画像でないと（ステップＳ５０５において、ＮＯ）、システム制御部５０はステップＳ５０７の処理に進んで、取得した画像ＩＤに対応する画像を表示部２８に表示する。
【００８１】
その後、システム制御部５０は操作部７０から入力操作があったか否かを判定する（ステップＳ５０８）。ここで、入力操作とは、例えば、画像送り、マルチ再生、又はメニューボタン押下などの再生モードの際における操作をいう。
【００８２】
入力操作がないと（ステップＳ５０８において、ＮＯ）、システム制御部５０は待機する。一方、入力操作があると（ステップＳ５０８において、ＹＥＳ）、システム制御部５０は当該入力操作が画像送り操作であるか否かを判定する（ステップＳ５０９）。
【００８３】
入力操作が画像送り／戻し操作であると（ステップＳ５０９において、ＹＥＳ）、システム制御部５０は、後述する画像送り／戻し処理を実行する（ステップＳ５１０）。そして、システム制御部５０はステップＳ５０８の処理に戻る。
【００８４】
入力操作が画像送り／戻し操作でないと（ステップＳ５０９において、ＮＯ）、システム制御部５０は入力操作がマルチ再生操作であるか否かを判定する（ステップＳ５１１）。入力操作がマルチ再生操作であると（ステップＳ５１１において、ＹＥＳ）、システム制御部５０は、後述するマルチ再生処理を実行する（ステップＳ５１２）。そして、システム制御部５０はステップＳ５０８の処理に戻る。
【００８５】
入力操作がマルチ再生操作でないと（ステップＳ５１１において、ＮＯ）、システム制御部５０は入力操作がメニューボタン操作であるか否かを判定する（ステップＳ５１３）。入力操作がメニューボタン操作であると（ステップＳ５１３において、ＹＥＳ）、システム制御部５０は、後述するメニュー処理を実行する（ステップＳ５１４）。そして、システム制御部５０はステップＳ５０８の処理に戻る。
【００８６】
入力操作がメニューボタン操作でないと（ステップＳ５１３において、ＮＯ）、システム制御部５０は入力操作が再生モード終了操作であるか否かを判定する（ステップＳ５１５）。入力操作が再生モード終了操作であると（ステップＳ５１５において、ＹＥＳ）、システム制御部５０は再生モード処理を終了する。一方、入力操作が再生モード終了操作でなければ（ステップＳ５１５において、ＮＯ）、システム制御部５０はステップＳ５０８の処理に戻る。
【００８７】
図６は、図５に示す画像送り処理を説明するためのフローチャートである。なお、図６に示すフローチャートに係る処理は、図２に示す不揮発性メモリ５６に記録されたプログラムをシステムメモリ５２に展開してシステム制御部５０が実行することによって行われる。
【００８８】
画像送り処理を開始すると、システム制御部５０は画像送り操作が画像送り（進め）であるか又は画像戻しであるか否かを判定する（ステップＳ６０１）。画像送りであると（ステップＳ６０１において、ＹＥＳ）、システム制御部５０は表示中の画像の次の画像ＩＤをメモリ３２から取得する（ステップＳ６０２）。一方、画像戻しであると（ステップＳ６０１において、ＮＯ）、システム制御部５０は表示中の画像の前の画像ＩＤをメモリ３２から取得する（ステップＳ６０３）。
【００８９】
ステップＳ６０２又はＳ６０３の処理に続いて、システム制御部５０は取得した画像ＩＤがグループに属するか否かを判定する（ステップＳ６０４）。取得した画像ＩＤがグループに属すると（ステップＳ６０４において、ＹＥＳ）、システム制御部５０はグループ再生が「入」であるか否かを判定する（ステップＳ６０５）。
【００９０】
グループ再生が「入」であると（ステップＳ６０５において、ＹＥＳ）、システム制御部５０は、後述する代表画像ＩＤ取得処理を実行する（ステップＳ６０６）。そして、システム制御部５０は代表画像ＩＤ取得処理で取得した画像ＩＤに対応する画像を記録媒体２００から検索して表示部２８に表示し（ステップＳ６０７）、画像送り処理を終了する。
【００９１】
取得した画像ＩＤがグループに属していないと（ステップＳ６０４において、ＮＯ）、システム制御部５０はステップＳ６０７の処理に進んで、取得した画像ＩＤに対応する画像をメモリ３２から検索して表示部２８に表示する。同様に、グループ再生が「切」であると（ステップＳ６０５において、ＮＯ）、システム制御部５０はステップＳ６０７の処理に進んで、取得した画像ＩＤに対応する画像をメモリ３２から検索して表示部２８に表示する。
【００９２】
このように、グループ再生の際には、１回の連続撮影で生成された複数の画像のうちの代表画像以外の画像は１枚表示による画像送りの対象とされず、代表画像が１枚表示による画像送りの対象とされる。
【００９３】
図７は、図６に示す代表画像ＩＤ取得処理を説明するためのフローチャートである。なお、図７に示すフローチャートに係る処理は、図２に示す不揮発性メモリ５６に記録されたプログラムをシステムメモリ５２に展開してシステム制御部５０が実行することによって行われる。
【００９４】
代表画像ＩＤ取得処理を開始すると、システム制御部５０は次（画像送り）又は前（画像戻し）で表示される画像がグループ再生であるか否かを判定する（ステップＳ７０１）。次又は前の画像がグループ再生である場合には（ステップＳ７０１において、ＹＥＳ）、システム制御部５０は当該グループの代表画像に係る画像ＩＤ（代表画像ＩＤ）をメモリ３２から取得して（ステップＳ７０２）、代表画像ＩＤ取得処理を終了する。
【００９５】
次又は前の画像がグループ再生でない場合には（ステップＳ７０１において、ＮＯ）、システム制御部５０は次又は前の画像に係る画像ＩＤをメモリ３２から取得して（ステップＳ７０３）、代表画像ＩＤ取得処理を終了する。
【００９６】
図８は、図５に示すマルチ再生処理を説明するためのフローチャートである。なお、マルチ再生とは、複数枚の画像を一覧で表示部２８に表示し、ユーザーに所望の画像を素早く探せるための機能をいう。また、図８に示すフローチャートに係る処理は、図２に示す不揮発性メモリ５６に記録されたプログラムをシステムメモリ５２に展開してシステム制御部５０が実行することによって行われる。
【００９７】
マルチ再生処理を開始すると、まずシステム制御部５０はグループ再生が「入」であるか否かを判定する（ステップＳ８０１）。グループ再生が「入」であると（ステップＳ８０１において、ＹＥＳ）、システム制御部５０はグループ再生が「入」でマルチ再生を行う（ステップＳ８０２）。そして、システム制御部５０はその他の処理を行う（ステップＳ８０３）。ここで、その他の処理とは、マルチ再生の際のカーソルの移動処理などをいう。
【００９８】
続いて、システム制御部５０はユーザーがシングル再生指示を行ったか否かを判定する（ステップＳ８０４）。シングル再生指示があると（ステップＳ８０４において、ＹＥＳ）、システム制御部５０はマルチ再生処理を終了する。
【００９９】
一方、シングル再生指示がないと（ステップＳ８０４において、ＮＯ）、システム制御部５０はステップＳ８０２の処理に戻る。
【０１００】
グループ再生が「切」であると（ステップＳ８０１において、ＮＯ）、システム制御部５０はグループ再生が「切」でマルチ再生を行う（ステップＳ８０５）。そして、システム制御部５０はその他の処理を行う（ステップＳ８０６）。続いて、ユーザーがシングル再生指示を行ったか否かを判定する（ステップＳ８０７）。シングル再生指示があると（ステップＳ８０７において、ＹＥＳ）、システム制御部５０はマルチ再生処理を終了する。
【０１０１】
一方、シングル再生指示がないと（ステップＳ８０７において、ＮＯ）、システム制御部５０はステップＳ８０５の処理に戻る。
【０１０２】
図９は、図５に示すメニュー処理を説明するためのフローチャートである。なお、図９に示すフローチャートに係る処理は、図２に示す不揮発性メモリ５６に記録されたプログラムをシステムメモリ５２に展開してシステム制御部５０が実行することによって行われる。
【０１０３】
メニュー処理を開始すると、システム制御部５０は表示部２８にメニュー画面を表示する（ステップＳ９０１）。そして、システム制御部５０はメニュー画面において入力操作があったか否かを判定する（ステップＳ９０２）。ここでの入力操作とは、メニュー画面において再生メニュー又は印刷設定項目などを選択することをいう。そして、この再生メニューにはグループ再生（グル―プ再生機能）の入／切のの切り替えがある。
【０１０４】
メニュー画面において入力操作があると（ステップＳ９０２において、ＹＥＳ）、システム制御部５０は当該入力操作がグループ再生の入／切の切り替えであるか否かを判定する（ステップＳ９０３）。グループ再生の入／切の切り替えであると判定すると（ステップＳ９０３において、ＹＥＳ）、システム制御部５０はグループ再生の入／切の切り替えを行う（ステップＳ９０４）。そして、システム制御部５０はメニュー処理を終了する。
【０１０５】
ステップＳ９０４におけるグループ再生の切り替えにおいて、グループ再生が「入」の状態であれば、「切」に切り替えられ、グループ再生が「切」の状態であれば、「入」に切り替えられる。
【０１０６】
一方、グループ再生の入／切の切り替えでないと判定すると(ステップＳ９０３において、ＮＯ）、システム制御部５０はその他の処理を行って(ステップＳ９０５）、メニュー処理を終了する。ステップＳ９０５におけるその他の処理では、システム制御部５０は、例えば、メニュー項目の変更を行う。
【０１０７】
メニュー画面で入力操作がないと（ステップＳ９０２において、ＮＯ）、システム制御部５０はメニューモードを終了する操作があったか否かを判定する（ステップＳ９０６）。メニューモードを終了する操作があると（ステップＳ９０６において、ＹＥＳ）、システム制御部５０はメニュー処理を終了する。一方、メニューモードを終了する操作がないと（ステップＳ９０６において、ＮＯ）、システム制御部５０はステップＳ９０２の処理に戻って、メニュー画面において入力操作があったか否かを判定する。
【０１０８】
図１０は、図４に示すレックレビュー処理を説明するためのフローチャートである。なお、図１０に示すフローチャートに係る処理は、図２に示す不揮発性メモリ５６に記録されたプログラムをシステムメモリ５２に展開してシステム制御部５０が実行することによって行われる。
【０１０９】
レックレビューとは、撮影の結果得られた画像（つまり、撮影の直後に得られた画像）を所定時間表示して、所定時間が経過すると表示を終了してスルー画表示に戻る機能のことをいう。そして、レックレビューホールドが設定されているか又は所定時間が経過する前にホールドボタンが押されると、レックレビューの状態がホールドされる。
【０１１０】
上記のホールドとは、表示終了させる操作があるまで、ディスプレイオフ期間が経過するまで、又はオートパワーオフ期間が経過するまでの間、レックレビューで表示された画像を継続して表示することをいう。
【０１１１】
さらに、レックレビューで表示部２８に画像を表示する際には、記録媒体２００に保存した画像ではなく、例えば、メモリ３２に保存された画像が読み出される。
【０１１２】
レックレビューを開始すると、まず、システム制御部５０は連続撮影であるか否かを判定する（ステップＳ１００１）。連続撮影であると判定すると（ステップＳ１００１において、ＹＥＳ）、システム制御部５０はグループ再生が有効であるか否かを判定する（ステップＳ１００２）。前述のように、グループ再生とは、連続撮影された一連の画像（グループ）のうちの代表画像のみを再生する再生機能である。
【０１１３】
グループ再生が有効であると（ステップＳ１００２において、ＹＥＳ）、システム制御部５０は、レックレビューで表示すべき画像が属するグループの代表画像の画像ＩＤ（代表画像ＩＤ）をメモリ３２から取得する（ステップＳ１００３）。システム制御部５０は当該代表画像ＩＤに対応する画像を記録媒体２００から読み出して、当該画像を表示部２８に表示する（ステップＳ１００４）。そして、システム制御部５０はレックレビューを終了する。
【０１１４】
グループ再生が無効であると（ステップＳ１００２において、ＮＯ）、システム制御部５０は最後に撮影した画像の画像ＩＤをメモリ３２から取得する（ステップＳ１００５）。そして、システム制御部５０はステップＳ１００４の処理に進んで、当該画像ＩＤに対応する画像をメモリ３２から読み出して、表示部２８に表示する。
【０１１５】
なお、連続撮影でないと判定すると（ステップＳ１００１において、ＮＯ）、システム制御部５０はステップＳ１００５の処理に進んで、最後に撮影された画像の画像ＩＤをメモリ３２から取得してレックレビュー表示を行う。
【０１１６】
図１１は、図１０で説明したレックレビューにおいてグループ再生の設定の有無に応じた画面表示の遷移の一例を説明するための図である。そして、図１１（ａ）は、グループ再生が有効である際の画面表示の遷移を示す図であり、図１１（ｂ）は、グループ再生が有効である際の画面表示の遷移を示す図である。
【０１１７】
図１１（ａ）において、連続撮影が行われ、グループ再生が有効であるとする（グループ再生が「入」であるとする）。そして、ここでは、連続撮影によって画像１１０１〜１１０４が得られたものとする。
【０１１８】
この場合、図１０で説明したように、グループ再生が有効であれば、レックレビューにおいても代表画像が表示部２８に表示されることになる。代表画像は枠１１３０で囲まれた画像１１０１がグループの代表画像であるとすると、画像１１０１がレックレビューの際に画像１１１０として表示部２８に表示されることになる。
【０１１９】
レックレビューから再生モードに移行した際には、グループ再生が有効であるので、代表画像である画像１１０１が画像１１１１として表示部２８に表示されることになる。
【０１２０】
ところで、従来、連続撮影の際には、レックレビューにおいては一般に最後に撮影された画像１１０４が表示部２８に表示される。そして、レックビューから再生モードに移行するとグループ再生が有効であるから、画像１１０１が表示部２８に表示されることになる。この結果、ユーザーがレックレビューで見ていた画像と再生モードで見る画像とが異なることになる。
【０１２１】
このため、ユーザーはレックレビューで見ていた画像と再生モードで最初に表示された画像との関係が分からなくなってしまう。そして、ユーザーはレックレビューで見ていた画像が記録媒体に記録されたか否か不安を持つ可能性がある。
【０１２２】
一方、前述のように、図１０で説明したレックレビューでは、グループ再生が有効であれば、レックレビューで表示する画像を最後に撮影された画像ではなく、グループ再生における代表画像としているので、ユーザーが混乱することはない。
【０１２３】
図１１（ｂ）において、グループ再生が無効であれば、図１０で説明したように、レックレビューの際には、枠１１３１で囲まれた最後に撮影された画像１１０４が画像１１１２として表示部２８に表示されることになる。
【０１２４】
また、レックレビューから再生モードに移行すると、再生モードでは最後に撮影された画像１１０４が画像１１１３として最初に表示部２８に表示されるので、レックレビューの際に表示される画像１１１２と再生モードに移行した際に最初に表示される画像１１１３とは同一の画像となる。
【０１２５】
このようにして、図１０で説明したレックレビューでは、レックレビューの際に表示される画像と再生モードに移行した際に最初に表示される画像とが同一となり、ユーザーの混乱を防止することができる。
【０１２６】
なお、レックレビューの際にグループ再生における代表画像を表示する場合に、連続撮影の結果得られた複数枚の画像の総枚数および代表画像は当該複数の画像のうちの何番目（何枚目）に撮影された画像であるかを表示するようにしてもよい。
【０１２７】
さらに、連続撮影とは連写撮影モードによる撮影ばかりでなく、各種ブラケット撮影（露出ブラケット、フラッシュブラケット、およびＷＢブラケットなど）のことをいう。そして、ブラケット撮影とは連続撮影と同様に一回のシャッター操作でそれぞれ異なる撮影設定に設定した複数枚の画像を撮影することをいい、連続撮影と同様に撮影後に代表画像のみを表示されるグループ再生を行うことができる。
【０１２８】
つまり、特定の種別の撮影として、１回の撮影指示に応じて、特定の撮影パラメータをそれぞれ異なる値に設定した複数の撮影を行うブラケット撮影を用いるようにしてもよい。
【０１２９】
さらには、特定の種別の撮影として、１回の撮影指示に応じた１回の撮像で得られた画像に応じて互いに異なる画像処理条件で生成された複数の画像を得る撮影を用いるようにしてもよい。
【０１３０】
［第２の実施形態］
続いて、本発明の第２の実施形態によるカメラの一例について説明する。
【０１３１】
なお、第２の実施形態におけるカメラの構成は図１および図２に示すカメラの構成と同様であり、また、レックレビューを除く処理は第１の実施形態で説明した処理と同様である。
【０１３２】
図１２は、本発明の第２の実施形態によるカメラで行われるレックレビューの一例を説明するためのフローチャートである。なお、図１２において、図１０に示すレックレビューと同一のステップについて同一の参照符号を付して説明を省略する。また、図１２に示すフローチャートに係る処理は、図２に示す不揮発性メモリ５６に記録されたプログラムをシステムメモリ５２に展開してシステム制御部５０が実行することによって行われる。
【０１３３】
図１０で説明したステップＳ１１０３又はＳ１１０５の処理を行った後、システム制御部５０は連続撮影の結果得られた画像の一覧を表示部２８に表示する（ステップＳ１２０１）。つまり、システム制御部５０は画像の一覧を１画面で表示する。そして、システム制御部５０はステップＳ１１０３又はＳ１１０５で取得した画像ＩＤに対応する画像にフォーカスを表示して（ステップＳ１２０２）、レックレビューを終了する。
【０１３４】
図１３は、図１２で説明したレックレビューにおいてグループ再生の設定の有無に応じた画面表示の一例を説明するための図である。そして、図１３（ａ）は、グループ再生が有効である際の画面表示を示す図であり、図１３（ｂ）は、グループ再生が有効である際の画面表示を示す図である。
【０１３５】
図１３（ａ）において、連続撮影が行われ、グループ再生が有効であるとする。そして、ここでは、連続撮影によって画像１３０１〜１３０６が得られたものとする。
【０１３６】
この場合、図１２で説明したように、システム制御部５０は表示部２８に画像１３０１〜１３０６を画像一覧としてマルチ表示する。ここで、画像１３０１がグループにおける代表画像であるとすると、システム制御部５０はレックレビューの際に画像１３０１を枠１３２０でフォーカスして他の画像と区別する。
【０１３７】
レックレビューから再生モードに移行した際には、グループ再生が有効であるので、システム制御部５０は代表画像である画像１３０１を枠１３２０でフォーカスして表示することになる（つまり、代表画像を識別可能に表示する）。
【０１３８】
図１３（ｂ）において、グループ再生が無効であれば、図１２で説明したように、システム制御部５０はレックレビューの際、最後に撮影された画像１１３０６を枠１３２１でフォーカスして表示する。
【０１３９】
そして、レックレビューから再生モードに移行すると、前述のように、再生モードでは最後に撮影された画像１３０６が枠１３２１でフォーカスされることになる。
【０１４０】
このようにして、図１２で説明したレックレビューでは、連続撮影の結果得られた画像を表示部２８にマルチ表示する際においても、レックレビューの際にフォーカスされる画像と再生モードに移行した際にフォーカスされる画像とが同一となり、ユーザーの混乱を防止することができる。
【０１４１】
なお、上述のシステム制御部５０の制御は１つのハードウェアが行ってもよいし、複数のハードウェアが処理を分担することで、装置全体の制御を行ってもよい。
【０１４２】
上述の説明から明らかなように、図２に示す例においては、撮影レンズ１０３、シャッター１０１、撮像部２２、およびＡ／Ｄ変換器２３が撮像手段として機能する。また、画像処理部２４およびシステム制御部５０は撮影手段として機能し、システム制御部５０およびメモリ制御部１５は表示制御手段として機能する。
【０１４３】
さらに、システム制御部５０およびメモリ制御部１５は再生手段および制御手段として機能する。また、操作部７０およびシステム制御部５０は設定手段として機能し、システム制御部５０は記録手段として機能する。
【０１４４】
本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１４５】
また、上述した実施形態においては、本発明をデジタルカメラなどの撮像装置に適用した場合を例にして説明したが、これはこの例に限定されずレックレビュー機能および画像再生機能を有する電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、ゲーム機、電子ブックリーダーなどに適用可能である。
【０１４６】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１４７】
１５  メモリ制御部
２２  撮像部
２４  画像処理部
２８  表示部
５０  システム制御部
５２  システムメモリ
５６  不揮発性メモリ
７０  操作部
８０  電源制御部
２００  記録媒体
【図１】
2014138246.tif 000003
【図２】
2014138246.tif 000004
【図３】
2014138246.tif 000005
【図４】
2014138246.tif 000006
【図５】
2014138246.tif 000007
【図６】
2014138246.tif 000008
【図７】
2014138246.tif 000009
【図８】
2014138246.tif 000010
【図９】
2014138246.tif 000011
【図１０】
2014138246.tif 000012
【図１１】
2014138246.tif 000013
【図１２】
2014138246.tif 000014
【図１３】
2014138246.tif 000015